(57)【特許請求の範囲】
【請求項１】
運転座席の前方側の運転デッキ上に立設された操縦パネルの機体横一側方寄り箇所に、機体操向操作のための揺動操作自在な操向レバーを備えてある作業機の運転部構造であって、
前記操縦パネルを、運転座席の前方に位置する前壁部と、その前壁部の上端側に設けた固定ハンドルとが一体成型された樹脂材で構成し、
前記固定ハンドルを、前記前壁部の壁面に沿う方向で、かつ前壁部の左右の横側縁に沿って上方に延出された左右一対の支柱部分と、その左右の支柱部分の上端部間にわたる横向きのバー部分とによって門形に形成し、
前記横向きのバー部分の機体前方向きの側面を、前後方向視で前記操向レバーと重なる部位に相当する箇所のバー部分が、前記操向レバーと重なる部位から左右方向で離れた箇所のバー部分よりも前方側に位置するように、前記バー部分の長手方向での途中で機体前後方向に位置ずれした段付き面に形成するとともに、前記バー部分の機体後方向きの側面をバー部分の全長にわたって段付き部分のない滑らか面に形成することにより、前後方向視で前記操向レバーと重なる部位に相当する箇所のバー部分の機体前後方向幅を、前記操向レバーと重なる部位から左右方向で離れた箇所のバー部分の機体前後方向幅より大であるように構成してある作業機の運転部構造。
【請求項２】
前記固定ハンドルのバー部分の機体後方向きの側面を、平面視で機体前方側に凹入した湾曲面にしてある請求項１記載の作業機の運転部構造。
【発明の詳細な説明】
【０００１】
【発明の属する技術分野】
本発明は、機体操向操作のための揺動操作自在な操向レバーを備えてある作業機の運転部構造に関する。
【０００２】
【従来の技術】
上記作業機において、従来、運転部に機体横向きのバー形の固定ハンドルを設けるとともに、この固定ハンドルの一端側が前記操向レバーの手前側に配置され、操向レバーを支持する手の手首付近を固定ハンドルに載せることにより、機体の揺れ動きなどに起因して身体が揺れ動いても、その影響で操向レバーを動かしてしまうことを回避しやすくしながら操縦することが可能になったものがあった。
この種の作業機にあっては、従来、全長にわたって機体前後方向幅が同一の固定ハンドルを採用しているものであり、次の如き問題があった。
【０００３】
【発明が解決しようとする課題】
すなわち、操向レバーを支持する手を載置しようとしても、固定ハンドルの機体前後方向幅が狭くて載せにくいか、あるいは、固定ハンドルを本来のハンドルとして使用しようとしても、固定ハンドルの機体前後方向幅が広くて握りにくいという問題があった。
【０００４】
本発明の目的は、固定ハンドルを手の載置台としても本来の固定ハンドルとしても使用しやすい作業機の運転部構造を提供することにある。
【０００５】
【課題を解決するための手段】
請求項１による発明の構成、作用、効果はつぎのとおりである。
【０００６】
〔構成〕
運転座席の前方側の運転デッキ上に立設された操縦パネルの機体横一側方寄り箇所に、機体操向操作のための揺動操作自在な操向レバーを備えてある作業機の運転部構造において、
前記操縦パネルを、運転座席の前方に位置する前壁部と、その前壁部の上端側に設けた固定ハンドルとが一体成型された樹脂材で構成し、
前記固定ハンドルを、前記前壁部の壁面に沿う方向で、かつ前壁部の左右の横側縁に沿って上方に延出された左右一対の支柱部分と、その左右の支柱部分の上端部間にわたる横向きのバー部分とによって門形に形成し、
前記横向きのバー部分の機体前方向きの側面を、前後方向視で前記操向レバーと重なる部位に相当する箇所のバー部分が、前記操向レバーと重なる部位から左右方向で離れた箇所のバー部分よりも前方側に位置するように、前記バー部分の長手方向での途中で機体前後方向に位置ずれした段付き面に形成するとともに、前記バー部分の機体後方向きの側面をバー部分の全長にわたって段付き部分のない滑らか面に形成することにより、前後方向視で前記操向レバーと重なる部位に相当する箇所のバー部分の機体前後方向幅を、前記操向レバーと重なる部位から左右方向で離れた箇所のバー部分の機体前後方向幅より大であるように構成してある。
【０００７】
〔作用〕
操向レバーを支持する手の載置台として使用される固定ハンドルのバー部分の一端側における機体前後方向幅が他端側における機体前後方向幅より大であるものだから、手の載置台として使用する際は、機体前後方向幅が大きい部分を使用して手を楽に載置でき、固定ハンドルを本来のハンドルとして使用する際には、他端側を握ることにより、この他端側の機体前後方向幅が一端側より小さいことから楽に握ることができる。
【０００８】
固定ハンドルのバー部分の機体後方向き側面を段付き部分のない滑らか面にしてバー部分に前記機体前後方向幅を備えさせてあるものだから、運転部から前方下方を見通しながら作業するなどの際、身体を固定ハンドルの滑らか面に当てて上半身を楽に突き出すことができる。
【０００９】
【００１０】
【００１１】
〔効果〕
従って、固定ハンドルを使用する際には固定ハンドルの他端側を容易に握って使用しやすいものになり、しかも、操向レバーを支持する手の載置台に固定ハンドルを使用して操向レバーを安定的に支持するに当たり、手を固定ハンドルに楽に載せて快適に操縦できるものになった。
【００１２】
固定ハンドルのバー部分が前記幅差を備えるものでありながら、前方下方を見通すなどの際、上半身を前方に楽に突き出して作業しやすいものになる。
【００１３】
請求項２による発明の構成、作用、効果はつぎのとおりである。
【００１４】
〔構成〕
請求項１による発明の構成において、前記固定ハンドルのバー部分の機体後方向きの側面を、平面視で機体前方側に凹入した湾曲面にしてある。
【００１５】
〔作用〕
運転部から前方下方を見通しながら作業するなどの際、身体を固定ハンドルのバー部分の湾曲面に当てて上半身をより楽に突き出すことができる。
【００１６】
〔効果〕
従って、固定ハンドルのバー部分が前記幅差を備えるものでありながら、前方下方を見通すなどの際、上半身を前方により楽に突き出して作業しやすいものになる。
【００１７】
【発明の実施の形態】
図１に示すように、左右一対のクローラ式走行装置１によって自走し、運転座席１１が装備されている搭乗型運転部１０、運転座席１１の下方に位置するエンジン３が装備されている原動部を備えている機体の機体フレーム４の運転部の横側に、植立穀稈に作用する引起装置５ａ及び刈取装置５ｂが装備されている刈取り部５を昇降操作自在に連結するとともに、刈取り部５の穀稈搬送装置５ｃからの刈取穀稈を脱穀処理する脱穀装置６、この脱穀装置６からの穀粒を回収する穀粒タンク７を前記機体フレーム４に搭載して、稲・麦などを収穫するようにコンバインを構成してある。
【００１８】
図２などに示すように、運転部１０の運転座席１１の前方に、運転部デッキ１２の前端部に操縦パネル９が立設してあり、この操縦パネル９の機体横一側方寄り箇所に、機体操向操作のための揺動操作自在な操向レバー１４を備えてある。
前記操縦パネル９は、運転座席１１の前方に位置する前壁部１３と、その前壁部１３の上端側で門形に立設された固定ハンドル１５部分とを、樹脂材で一体成型することによって構成されている。
【００１９】
操向レバー１４は、機体横方向に揺動操作できるように支持させてあり、かつ、エンジン３の駆動力を左右の走行装置１に伝達する変速装置（図示せず）に対してこれの変速制御を行なうように連係させてある。
【００２０】
図２、図３などに示すように、固定ハンドル１５は、前記前壁部１３の横側縁に沿って上方へ延出された左右一対の支柱部分１７と、その左右の支柱部分１７の上端部間にわたって架け渡された機体横向きのバー部分１６を備えて門形に形成されており、このバー部分１６の機体前方向きの側面１６ａが、バー部分１６の長手方向での途中に位置する段付き部ａを備えていて、この段付き部ａのために操向レバー１４に対して近い側が遠い側より機体前方側に位置した状態に機体前後方向に位置ずれしている段付き面になり、バー部分１６の機体後方向きの側面１６ｂが、バー部分１６全長にわたって段付き部分がなく滑らかに連なるとともに平面視で機体前方側に凹入した湾曲状態の滑らかな湾曲面になるように固定ハンドル１５のバー部分１６を形成することにより、バー部分１６の操向レバー１４が位置する方の一端側での機体前後方向幅Ｗ１を、他端側での機体前後方向幅Ｗ２より大にしてある。
【００２１】
つまり、操向レバー１４を操作して機体の操向操作を行なうようにしてある。
すなわち、操向レバー１４を中立位置から機体左側や右側に揺動操作することにより、左右のクローラ走行装置１の間に駆動速度差が発生して機体が操向レバー１４の操作方向に等しい左向きや右向きに走行し、操向レバー１４を中立位置に操作することにより、左右のクローラ走行装置１の駆動速度が等しくなって機体が直進走行する。このとき、操向レバー１４を支持する手の手首付近をバー部分１６の一端側に載せて支持させることにより、身体が揺れ動いてもその影響で操向レバー１４が動いてしまうことを回避しやすくなるようにしてある。バー部分１６を握って身体の安定化を図るなどバー部分１６を使用する場合、バー部分１６の左右方向で操向レバー１４から離れた他端側を使用することにより、この他端側の機体前後方向幅Ｗ２が操向レバー１４に近い一端側のそれよりも小さくて握りやすくなっている。
【００２２】
図３（ハ）に示すように、操縦パネル９の前壁部１３は、樹脂材のブロー成型によって内部１３ｄが中空の構造の樹脂パネルに作製してある。前記固定ハンドル１５のバー部分１６も、左右一対の支柱部分１７も、操縦パネル９をブロー成型する際に同時にブロー成型することにより、前壁部１３との一体部品で、かつ、バー部分１６の内部１６ｃも、支柱部分１７の内部１５ａも中空の構造の樹脂ハンドルや樹脂支柱に作製してある。
【００２３】
図４に示すように、前壁部１３の上端部の裏面側に、金属パイプで成る支持フレーム２０が入り込む凹部１３ａを設け、この凹部１３ａや前記支持フレーム２０を覆う板金製の裏カバー２１を取り付けてある。図３（イ）に示すように、前壁部１３の表面側に、操向レバー１４の操作位置を検出する検出スイッチ（図示せず）などに接続している電気ケーブルなどを収容する凹部１３ｂを設け、この凹部１３ｂを図４の如き樹脂製の化粧カバー２２によって覆うように構成してある。
【００２４】
図４（イ）に示すように、前記裏カバー２１の一端部に、裏カバー本体に対してこれから機体前方向きに延出する状態に折れ曲がっている部分２１ａを備え、この折れ曲がり部分２１ａに、サイドミラー２３を支持させるミラー支持を備えてある。操縦パネル９に取り付けた前記裏カバー２１の前記折れ曲がり部分２１ａを前方から見えないように入り込ませる凹入部１３ｃを、操縦パネル９の前記支柱部分１７の基部に設けてある。
【００２５】
〔別実施形態〕
稲や麦を収穫対象とする他、玉ねぎとか人参など各種の作物を収穫対象とする収穫機に装備される運転部にも本発明は適用できる。従って、これらコンバインなどを総称して作業機と呼称する。
【図面の簡単な説明】
【図１】  コンバイン全体の側面図
【図２】  運転部の平面図
【図３】  （イ）は、操縦パネルの前面側から見た斜視図、（ロ）は、操縦パネルの裏面側から見た斜視図、（ハ）は、操縦パネルの縦断側面
【図４】  （イ）は、操縦パネルの裏カバー取り付け部を示す斜視図、（イ）は、操縦パネルの裏カバー取り付け状態を示す斜視図、
【図５】  操縦パネルの化粧カバー取り付け状態を示す正面図
【符号の説明】
９          操縦パネル
１３          前壁部
１４          操向レバー
１５          固定ハンドル
１６          バー部分
１６ａ        バー部分の前向き側面
１６ｂ        バー部分の後向き側面
１７          支柱部分
Ｗ１          固定ハンドルの一端側での機体前後方向幅
Ｗ２          固定ハンドルの他端側での機体前後方向幅
【図１】
0003801538.tif 000002
【図２】
0003801538.tif 000003
【図３】
0003801538.tif 000004
【図４】
0003801538.tif 000005
【図５】
0003801538.tif 000006